(57)【要約】【課題】  この発明は、用途に応じて柔軟に、且つ容易にその形態を変更でき、周囲を気遣うことなく快適な散歩が楽しめるペット用カート及びバッグを提供することを目的とする。【解決手段】  ペット用カート１に係る収容体２は、ペット用バッグ４としても利用することができ、収容体２の収容体側コネクタ２５に、別途用意した帯４１を接続することにより、該帯４１を提げ紐として肩や腕に掛けることができ、ペット用バッグとして持ち歩くことを可能にする。具体的には、枠体側コネクタ１６から収容体側コネクタ２５を離脱させ、連結状態を解除し、枠体側コネクタ１６から離脱した収容体側コネクタ２５に対して、帯４１の両端に取着した連結先端部４２を連結させる。【選択図】    図１
2006254801.tif 000002
【特許請求の範囲】
【請求項１】
ペットを収容する収容体と、該収容体の載置位置を規定する枠体と、上記収容体の載置位置への載置状態を保持するための位置決め部材とからなるペット用カートにおいて、
上記位置決め部材は、収容体に取着した収容体側コネクタ部材と、枠体に取着した枠体側コネクタ部材とを連結して構成されるとともに複数備えられ、上記収容体側コネクタ部材と枠体側コネクタ部材とを着脱自在とする
ペット用カート。
【請求項２】
前記収容体側コネクタ部材のうち、少なくとも２個づつを同形とし、該２個の同形の収容体側コネクタ部材に接続される各枠体側コネクタ同士を同形とした
請求項１記載のペット用カート。
【請求項３】
前記収容体の載置位置への載置状態において、収容体が延びる方向と直交する平面で収容体を切断したときの切断面の外周の線上に沿って収容体側コネクタ部材及び枠体側コネクタ部材が位置するように上記載置位置を設定した
請求項１または２記載のペット用カート。
【請求項４】
前記収容体が延びる方向に沿って位置決め部材による連結箇所を複数設けた
請求項１乃至３のうちいずれか一項記載のペット用カート。
【請求項５】
前記枠体は、複数の柱部材からなり、該柱部材は、少なくとも前記収容体の載置位置における載置面の両端に各々位置するものであり、枠体は、両柱部材間を掛け渡されて張設することにより載置面に敷設して収容体を支持する支持シート部材を有する
請求項１乃至４のうちいずれか一項記載のペット用カート。
【請求項６】
進行方向を制御するハンドル部材を備え、該ハンドル部材と枠体との間に、両者の接合位置を規定するとともに、互いが接離可能な接合部材と、該接合部材における枠体側とハンドル部材側とが離反した状態において、ハンドル部材を枠体に対して揺動可能に支持する枢軸とを備えた
請求項１乃至５のうちいずれか一項記載のペット用カート。
【請求項７】
前記収容体底部に、該底部の形状を保持する形状保持部材と吸湿シートとを積層させ、これらの外周をカバーリングシートで被覆するとともに、前記カバーリングシートの一部の、吸湿シートと対向する位置に、吸湿シートへの液状物の通過を許容する複数の孔を形成した多孔シートを設け、上記カバーリングシートを収容体に対して着脱自在とした
請求項項１乃至６のうちいずれか一項記載のペット用カート。
【請求項８】
請求項１乃至７記載のうちいずれか一項記載のペット用カートの収容体の、異なる前記収容体側コネクタ部材同士を、該収容体側コネクタ部材に連結可能なコネクタ部材を両端に取着した長尺体により互いを接続して構成した
ペット用バッグ。
【請求項９】
収容体の高さ方向に延びるように、収容体外周面に閉ループ部を形成した
請求項８記載のペット用バッグ。
【請求項１０】
前記閉ループ部は、収容体の高さ方向全体に渡って延びている
請求項９記載のペット用バッグ。
【発明の詳細な説明】
【技術分野】
【０００１】
この発明は、ペットを収容する収容体と、該収容体の載置位置を規定する枠体と、上記収容体の載置位置への載置状態を保持するための位置決め部材とからなるペット用カートに関する。
【背景技術】
【０００２】
人間がペットを同伴させて散歩する際、ペットにリードを付ける等して一緒に歩かせる以外に、ペットを収容体に収容して持ち歩く場合を挙げ、この持ち歩きの場合に便利であるとされるペット用バッグが知られている（特許文献１参照）。
【０００３】
また、体重の大きいペットを容易に運ぶ場合に便利であるものとして、荷台と、車輪と、手押しレバーとを具備し、ペット収容体としての鞄を着脱自在にするカートが知られている（特許文献２参照）。
【０００４】
さらに、前記先行文献２には、鞄側の位置決め部材を有するベルトにより、カートの枠体に鞄を着脱自在とするか、または、カート側の位置決め部材を有するベルトにより、カートの枠体に鞄を着脱自在とすることにより、カートを使用しての散歩以外に、鞄を持っての散歩をも可能とすることが開示されている。
【０００５】
【特許文献１】特開平１０−２１５９３２号公報
【特許文献２】特開２００４−１６６５９９号公報
【発明の開示】
【発明が解決しようとする課題】
【０００６】
ところで、前記先行文献２においては、鞄を持っての散歩をも可能とするために、鞄に提げ紐が縫着されていることが開示されているが、カートを使用して散歩する際には、この提げ紐は不要になる。さらに、カートを使用して移動中には通路の周囲の物体または他の通行人に提げ紐が接触したり、引っ掛からないようにするために、わざわざ鞄外周面に設けたポケット等に提げ紐を収納する等の手間が必要になる。
【０００７】
また逆に、提げ紐を肩や腕に掛けることにより鞄を持ち歩きながら散歩する際、鞄側に位置決め部材としてのベルトが縫着されている場合、これが不要になる。さらに、鞄を持ち歩いて移動中通路の周囲の物体または他の通行人にベルトが接触したり、引っ掛かる可能性があり、周囲を気遣いながらの散歩を余儀なくされる可能性がある。
【０００８】
この発明は、用途に応じて柔軟に、且つ容易にその形態を変更でき、周囲を気遣うことなく快適な散歩が楽しめるペット用カート及びバッグを提供することを目的とする。
【課題を解決するための手段】
【０００９】
この発明の請求項１記載の発明は、ペット用カートにおいて、ペットを収容する収容体と、該収容体の載置位置を規定する枠体と、上記収容体の載置位置への載置状態を保持するための位置決め部材とからなるペット用カートにおいて、上記位置決め部材は、収容体に取着した収容体側コネクタ部材と、枠体に取着した枠体側コネクタ部材とを連結して構成されるとともに複数備えられ、上記収容体側コネクタ部材と枠体側コネクタ部材とを着脱自在とすることを特徴とする。
【００１０】
この発明の請求項２記載の発明は、ペット用カートにおいて、前記収容体側コネクタ部材のうち、少なくとも２個づつを同形とし、該２個の同形の収容体側コネクタ部材に接続される各枠体側コネクタ同士を同形としたことを特徴とする。
【００１１】
この発明の請求項３記載の発明は、ペット用カートにおいて、前記収容体の載置位置への載置状態において、収容体が延びる方向と直交する平面で収容体を切断したときの切断面の外周の線上に沿って収容体側コネクタ部材及び枠体側コネクタ部材が位置するように上記載置位置を設定したことを特徴とする。
【００１２】
この発明の請求項４記載の発明は、ペット用カートにおいて、前記収容体が延びる方向に沿って位置決め部材による連結箇所を複数設けたことを特徴とする。
【００１３】
この発明の請求項５記載の発明は、ペット用カートにおいて、前記枠体は、複数の柱部材からなり、該柱部材は、少なくとも前記収容体の載置位置における載置面の両端に各々位置するものであり、枠体は、両柱部材間を掛け渡されて張設することにより載置面に敷設して収容体を支持する支持シート部材を有することを特徴とする。
【００１４】
この発明の請求項６記載の発明は、ペット用カートにおいて、進行方向を制御するハンドル部材を備え、該ハンドル部材と枠体との間に、両者の接合位置を規定するとともに、互いが接離可能な接合部材と、該接合部材における枠体側とハンドル部材側とが離反した状態において、ハンドル部材を枠体に対して揺動可能に支持する枢軸とを備えたことを特徴とする。
【００１５】
この発明の請求項７記載の発明は、ペット用カートにおいて、前記収容体底部に、該底部の形状を保持する形状保持部材と吸湿シートとを積層させ、これらの外周をカバーリングシートで被覆するとともに、前記カバーリングシートの一部の、吸湿シートと対向する位置に、吸湿シートへの液状物の通過を許容する複数の孔を形成した多孔シートを設け、上記カバーリングシートを収容体に対して着脱自在としたことを特徴とする。
【００１６】
この発明の請求項８記載の発明は、ペット用バッグにおいて、請求項１乃至７記載のうちいずれか一項記載のペット用カートの収容体の、異なる前記収容体側コネクタ部材同士を、該収容体側コネクタ部材に連結可能なコネクタ部材を両端に取着した長尺体により互いを接続して構成したことを特徴とする。
【００１７】
この発明の、請求項９記載の発明は、ペット用バッグにおいて、収容体の高さ方向に延びるように、収容体外周面に閉ループ部を形成したことを特徴とする。
【００１８】
この発明の請求項１０記載の発明は、前記閉ループ部は、収容体の高さ方向全体に渡って延びていることを特徴とする。
【発明の効果】
【００１９】
この発明によれば、収容体に取着した収容体側コネクタ部材と、枠体に取着した枠体側コネクタ部材とを連結した時、カート本体に収容体を載置して散歩することができる。また、上記連結を解除し、収容体側の複数の収容体側コネクタ同士を、該収容体側コネクタ部材に連結可能なコネクタ部材を両端に取着した長尺体により接続すれば、該長尺体を提げ紐として肩や腕に掛けることによりペット用バッグとすることができる。以上より、カートの使用、バッグの持ち運び等の用途に応じて柔軟に、且つ容易にその形態を変更でき、いずれの用途においても快適な散歩を楽しむことができる。
【発明を実施するための最良の形態】
【００２０】
この発明の一実施形態を以下図面と共に説明する。  
図１はペット用の収容体２を載置した状態でのペット用カート１（以降は単にカート１と称する）の全体を示しており、カート１の本体は主に、ハンドル部材１１、コネクタ部１２、長尺状の柱部材１３ａ乃至１３ｅ、回動フレーム１４、支持シート１５、枠体側コネクタ１６、車輪１７とから構成されている。尚、これらカート１本体を構成する各構成部材は、カート１の幅方向両端ともに対称に一対づつ設けられている。
【００２１】
前記ハンドル部材１１及びコネクタ部１２のハンドル部材１１側は柱部材１３ｂに枢軸１３ｆを介して接続されており、さらに、上記ハンドル部材１１及びコネクタ部１２のハンドル部材１１側は、コネクタ部１２の柱部材１３ａ側に設けた枢軸１２ａを介して柱部材１３ａに接続されている。
【００２２】
さらに、前記コネクタ部１２のハンドル部材１１側は、図４に示すように、コネクタ部１２の柱部材１３ａ側に対向して凸状部１２ｂを有し、前記コネクタ部１２の柱部材１３ａ側は、凸状部１２ｂに対向した位置に凹状部１２ｃを形成している。これら凸状部１２ｂと凹状部１２ｃとの嵌合により、互いが所定の位置関係で嵌合している。
【００２３】
また、図１に戻り、柱部材１３ａ、１３ｂとは、両端の枢軸１４ａ、１４ｂによって支持された回動フレーム１４を介して接続されている。
【００２４】
さらに、柱部材１３ａ、１３ｂは、各々、カート１幅方向の他側と、カート１幅方向に延びる柱部材１３ｃ、１３ｄを介して接続されており、柱部材１３ａと１３ｃとは、ピン１３ｇ、柱部材１３ｂと１３ｄとはピン１３ｈにより固定されている。
【００２５】
ここで、前記柱部材１３ｃ、１３ｄ間には、特に図３にて詳細に示すような支持シート１５が掛け渡され張設されている。支持シート１５は、ある程度の可撓性、柔軟性を有する素材によりなるものが好ましく、その反面、前記柱部材１３ｃ、１３ｄ間に掛け渡され張設された時のように所定の張力を付与された場合には、ある程度の重量を有する載置物を載置したとしてもその支持状態を維持できるだけの耐久性を有するものが尚好ましい。尚、この発明の実施形態におけるカート１の枠体とは、各柱部材１３ａ乃至１３ｆ及び支持シート１５を含めたものを指すこととする。
【００２６】
枠体側コネクタ１６は、前記支持シート１５のカート１幅方向両端に各々２箇所づつ合計４箇所、カート１の延びる方向Ａ（または後述する収容体２を載置した際は該収容体２の延びる方向Ｂ）（以降は単に、方向Ａ、方向Ｂと称する）に沿って取着され、ベルト１６ａと連結先端部１６ｂとからなる。ベルト１６ａはその一端が支持シート１５端部に固着され、ベルト１６ａの途中に連結先端部１６ｂが取着されている。
【００２７】
ここで、前記連結先端部１６ｂは、図２、図３に示すように、その先端に２箇所対称にフック状の係合体１６ｃが形成されており、該係合体１６ｃは、連結先端部１６ｂの素材を所定の可撓性を有するプラスチック等の樹脂で成形することにより、両者を中心に向かって押圧した時に撓みが生じて互いの距離が接近し、押圧力から開放することにより元の形状に戻るような特性を有する。
【００２８】
また、前記連結先端部１６ｂにおいては、カート１の幅方向の両端に取着されているもののうち、同じ側のものについては少なくとも同形に形成されており、この発明の実施形態においては、４つの連結先端部１６ｂ全てが同形をなしている。
【００２９】
図１に戻り、車輪１７は、前輪２箇所、後輪２箇所で合計４箇所設けられ、後輪同士は柱部材１３ｅを介して接続されている。前輪は、各々柱部材１３ａにより回動自在に取着されており、ハンドル部材１１による進行方向の制御の際、適宜各前輪が回動して方向変換を可能にしている。
【００３０】
次に、ペットを収容する収容体２の構成を説明する。収容体２の外周面の一部は、帯状に延びた網２１で形成され、その収容体２両端には、網２１が延びる方向に沿ってファスナー２２が延びている。また、収容体２外周には、上記網２１全体を被覆可能とするカバー体２３が取着されており、該カバー体２３は図１に示すように巻回してコンパクトにまとめられるようになっている。これにより、網２１を通して収容体２の中にいながらにしてペットを日光浴させることができ、雨降り等の気象条件に合わせて、カバー体２３を網２１に被覆してペットが濡れることを防止する。
【００３１】
また、収容体２の外周側面には適宜ポケット２４が取着され、そのうち、方向Ｂに沿った側面においては、ポケット２４の出口から収容体側コネクタ１６が、収容体２幅方向両端に各々２箇所づつ合計４箇所取着されている。
【００３２】
前記収容体側コネクタ１６は、図２に示すようにベルト２５ａと連結先端部２５ｂとからなり、連結先端部２５ｂは、ベルト２５ａの一端側に取着されている。
【００３３】
ここで、前記連結先端部２５ｂは、図２に示すように、その先端に前記係合体１６ｃを挿入可能な開口部２５ｃが形成されているとともに、ベルト２５ａの幅方向両端部の途中には凹状の窪みとその一部に係合孔としての孔２５ｄが形成されている。
【００３４】
また、前記連結先端部２５ｂにおいては、収容体２両端に取着されているもののうち、同じ側のものについては少なくとも同形に形成されており、この発明の実施形態においては、４つの連結先端部２５ｂ全てが同形をなしている。
【００３５】
次に、図１に示す収容体２内の破線にて示しているのは、該収容体２の底部に載置した床面シート３である。該床面シート３は、図６にて示すように、一部に複数の孔を規則的に形成した多孔シート３２を設けたカバーリングシート３１により内部の収納物が被覆されてなり、多孔シート３２は上面側のほぼ中央部に位置している。また、カバーリングシート１はファスナー３３を備えており、床面シート３の側面のほぼ４分の３程度の長さに渡って延びている。
【００３６】
前記カバーリングシート３１内部の収納物としては、図６のＸ−Ｘ線断面図である図７にて示すように、底面側から順番に形状保持板３４、クッション３５、吸湿シート３６が挙げられ、これらが上下方向に積層されている。また、図示のように、カバーリングシート３１内部には布状体３７をカバーリングシート３１に縫着することによってポケット３８を設けており、上記形状保持板３４、クッション３５はポケット３８内に収納している。吸湿シート３６は、ポケット３８の外部の、前記多孔シート３２と対向する位置にある。
【００３７】
尚、図１等に示す収容体２内部には、必要に応じて、収容体２内周面にリードを介して首輪を取着してもよい。これによりペットが収容体２内部で暴れたとしても、位置がずれたり内周面が破損したりするのを防止できる。
【００３８】
図示実施形態は上記の如く構成するものにして、以下作用を説明する。  
先ず、カートを使用してペットと同伴で散歩する際は、図１等に示すように、カート１本体の両柱部材１３ａ、１３ｂ、両回動フレーム１４間に位置する支持シート１５をカート１本体に敷設された載置面として収容体２を載置するとともに、その載置位置の位置決めを、枠体側コネクタ１６と収容体側コネクタ２５とにより行う。
【００３９】
ここで、載置面を前記柱部材１３ｃ、１３ｄ間に張設された支持シート１５としていることにより、支持シート１５の有する可撓性、柔軟性により、載置された収容体２の底面に硬さを感じさせることがなく、収容されたペットにとって柔らかい居心地を与えることができる。その反面、支持シート１５の張力により、ペットを収容した収容体２の支持状態を維持できるだけの耐久性を有しているのならば、敢えて高価な硬質の床材を敷設する必要がないという利点がある。
【００４０】
次に、収容体２の載置位置への位置決めについて具体的に述べる。先ず、図２に示す、枠体側コネクタ１６の連結先端部１６ｂに形成された係合体１６ｃを、中心に向かって押圧することにより撓みを生じさせて互いの距離を接近させた状態で、収容体側コネクタ２５の連結先端部２５ｂの開口部２５ｃに挿入する。そして、上記状態を維持した係合体１６ｃを孔２５ｄに嵌め込んだところで、押圧力から開放する。こうすることにより、係合体１６ｃが元の形状に戻った時、連結先端部１６ｂの幅方向に拡がった状態で係合体１６ｃの先端が孔２５ｄに係合しているので、連結先端部１６ｂまたは２５ｂをベルト１６ａ、２５ａの長手方向に引っ張ったとしても互いが離脱することはない。従って、各枠体側コネクタ１６、各収容体側コネクタ２５同士を上述した係合状態とすることにより、カート１本体に対する収容体２の連結及び所定の載置位置への位置決めがなされる。尚、この発明の実施形態における位置決め部材とは、枠体側コネクタ１６と収容体側コネクタ２５とを組み合わせて１組としたものを指すこととする。
【００４１】
ここで、上述したように位置決めされた状態においては、図１、図２に示すように、方向Ｂと直交する平面で収容体２を切断したときの切断面Ｓ１、Ｓ２の外周の線上に沿って各枠体側コネクタ１６及び各収容体側コネクタ２５が位置するように前記載置位置が設定されている。
【００４２】
これは、例えば、枠体側コネクタ１６と、収容体側コネクタ２５とが図２の二点鎖線にて示すように、方向Ｂにおいて互いにずれた位置関係にあった場合、互いの距離が遠い故に、その分長めのベルト１６ａ、２５ａが必要になる。これは、互いを連結し収容体２内にペットを収容した後、ペットが内部で暴れた時問題となる。即ち、カート１本体の枠体と収容体２とを繋ぐベルトが長いとその分方向Ａの収容体２のスライドを許容してしまうことになるからであり、ペットが暴れて方向Ａへ力をかけてしまうとその度に収容体がベルトの張力の許す範囲で方向Ａに沿って動いてしまい、それに伴って、図１に示すハンドル部材１１を操作している人間にその動きが伝達して操作がしにくくなってしまう。従って、本発明のような、図２の切断面Ｓ１、Ｓ２の外周の線上に枠体側コネクタ１６、収容体側コネクタ２５が位置していれば最短距離で両者を連結しているため、方向Ａへの不用意なスライドを防止できるのである。
【００４３】
また、前記方向Ｂ（方向Ａ）に沿って枠体側コネクタ１６、収容体側コネクタ２５による連結箇所を両端側とも複数箇所（実施形態では２箇所づつ）設けている。これは、ペットが暴れた時に収容体２に付与される力の方向は不規則であり、方向Ｂに沿った収容体２のずれのみならず、該収容体２の幅方向のずれをも抑制することが必要になるからである。
【００４４】
次に、図６、図７に示す収容体２内の床面シート３であるが、その内部の形状保持板３４は、収容体２内に収容されたペットの体重により収容体２の底面が必要以上に窪んでペット自身の収容スペースを狭めることがないようしており、同時に、収容されたペットの居心地を考慮し、形状保持板３４の上層のクッション３５により柔軟性を感じさせる床面を提供している。
【００４５】
また、吸湿シート３６は、多孔シート３２を通してペットの排泄物を吸収することができるものであり、床面の湿気による不快感を軽減することができる。ここで、多孔シート３２は、これにより吸湿シート３２をペットが引っ掻いて床面シート３から剥離するのを防止するための防護網としての役割を果たしている。
【００４６】
さらに、カバーリングシート３は収容体２と独立した部材であり、常に収容体２に対して着脱自在である。これによりカバーリングシート３の洗濯等の際の取り外し作業が容易になる。加えて、カバーリングシート３のファスナー３３を開けることにより、吸湿シート３２、クッション３５の交換作業も容易になる。但し、カバーリングシート３は、例えば、雄、雌の着脱布テープ等適宜の装着部材を介して所定位置に装着されるようにしてもよい。
【００４７】
ところで、上述したようなカート１に係る収容体２は、人間がペットを同伴させて散歩する際、ペットを収容体２に収容して持ち運ぶペット用バッグ４（以降は単にバッグ４と称する）としても利用することができる。これは、図８に示すように、収容体２の収容体側コネクタ２５に、別途用意した帯４１を接続することにより、該帯４１を提げ紐として肩や腕に掛けることによりペット用バッグとして持ち歩くことを可能にするのである。因みに、提げ紐としては他に、紐、ワイヤ等が考えられる。
【００４８】
例えば、図１に示すような、カート１本体にて載置状態にある収容体２においては、先ず、枠体側コネクタ１６から収容体側コネクタ２５を離脱させ、連結状態を解除する。これは、上述したような、図２等の孔２５ｄに係合している係合体１６ｃの先端を中心に向かって押圧して互いの距離を接近させた状態にしつつ、開口部２５ｃから連結先端部２５を引き出すことにより行う。
【００４９】
次に、枠体側コネクタ１６から離脱した収容体側コネクタ２５の開口部２５ｃに対して、図８に示す帯４１の両端に取着した連結先端部４２を連結させる。具体的には、前記枠体側コネクタ１６の連結先端部１６ｂと同様に、先端に所定の可撓性を有する２箇所対称のフック状の係合体４２ａを中心に向かって押圧することにより撓みを生じさせて互いの距離を接近させた状態で、収容体側コネクタ２５の連結先端部２５ｂの開口部２５ｃに挿入する。そして、上記状態を維持した係合体１６ｃを孔２５ｄに嵌め込んだところで、押圧力から開放することにより、互いの連結作業を完了し、帯４１が両端で収容体２に接続された状態となる。
【００５０】
尚、図８においては、収容体２の片面に位置する収容体側コネクタ２５のみを示しているが、反対側の面の収容体側コネクタ２５においても、もう一本の帯４１を用意し、同様の連結作業を行うことによりバッグ４としての形態を完成させるようになっている。
【００５１】
これにより、収容体２をカート１本体に載置して散歩する場合、別部材である帯４１は収容体２から完全に外され、収容体側コネクタ２５は枠体側コネクタ１６と連結するため、カート１から余計な部材が突出することがなく、カート１を使用して移動中に通路の周囲の物体または他の通行人に突出した部材が接触する等の不都合が生じなくなる。
【００５２】
他方、収容体２に帯４１を接続してバッグ４として持ち歩きながら散歩する場合、収容体側コネクタ２５は帯４１と連結する部材であるため、バッグ４から余計な部材が突出することがなく、バッグ４を持ち歩いて移動中通路の周囲の物体または他の通行人に突出した部材が接触したり、引っ掛かる等といった不都合が生じなくなる。
【００５３】
これらを総合すると、カート１の使用、バッグ４の持ち運び等の用途に応じて柔軟に、且つ容易にその形態を変更できるとともに、上記いずれの用途に関わらず、収容体２から余計な部材が突出する心配がなく、快適な散歩を楽しむことができる。
【００５４】
また、収容体側コネクタ部材２５のうち、同一の帯４１に連結する少なくとも２個づつを同形としていることにより、帯４１両端の係合体４２ａをも同形にすることができる。従って、帯４１の収容体２への連結の際、帯４１の向きを気にすることなく容易に連結作業が行える。これにより、結果として、上記枠体側コネクタ２５に対応する図１等に示す枠体側コネクタ１６同士も同形になっている。
【００５５】
ここで、この発明における、枠体側コネクタ、収容体側コネクタ及び帯の連結の形態は上述したものに限定されない。即ち、枠体側コネクタ１６、収容体側コネクタ２５との間、収容体側コネクタ２５と帯４１の係合体４２ａとの間で、先端部の形状が互いに逆になったものでもよい。
【００５６】
ところで、人間がペットを同伴させて散歩する形態としては、上記カート１を使用する場合、バッグ４を持ち運ぶ場合の他、例えば、自動車に収容体２を載置して目的地まで移動し、目的地で散歩を楽しむ場合が挙げられる。
【００５７】
この場合、図９に示すように、収容体側コネクタ２５に連結された帯４１を座席５の後部に通した状態とすることにより、急ブレーキや急発進時の慣性による急激な押出力が発生したとしても、収容体２が座席から脱落することを防止できる。
【００５８】
しかしながら、この場合、図９に示すように帯４１は長尺のものが必要であり、収容体２をバッグ４として使用する際に用いる帯４１をそのまま転用することは困難である。
【００５９】
そこで、図８に示すように、予め収容体２の高さ方向に延びるベルト２６、２７の両端を収容体２の外周面に固着して、ベルト２６、２７と収容体２外周面とにより各々収容体２の高さ方向に延びる閉ループ部Ｃ１、Ｃ２を形成してもよい。
【００６０】
ベルト２６は、ポケット２４の高さあたりまで延びており、このベルト２６と収容体２外周とによりなる閉ループ部Ｃ１は、図１０に示すような、使用時に人間の腰部の周辺に延びるシートベルト６ａを対象とするものである。具体的には、図１０に示すように、シートベルト６ａを上記閉ループ部Ｃ１内部に挿通させて、車体側のバックル７ａに嵌め込むことによって、急ブレーキや急発進時の収容体２の脱落を防止できるようになっている。
【００６１】
また、もう１つのベルト２７は、収容体２の高さ方向全体に渡って延びており、このベルト２７と収容体２外周面とによりなる閉ループ部Ｃ２は、図１１に示すような、使用時に人間の腰部の周囲に延びるとともに、胸の周囲にたすきがけ状に延びるシートベルト６ｂを対象とするものである。具体的には、図１１に示すように、シートベルト６ｂの腰部の周囲の部分、胸の周囲の部分のいずれも上記閉ループ部Ｃ２内部に挿通させて、車体側のバックル７ｂに嵌め込むことによって、急ブレーキや急発進時の収容体２の脱落を防止できるようになっている。ベルト２７を収容体２の高さ方向全体に渡って延ばし、閉ループ部を形成することにより、シートベルト６ｂの、たすきがけ状に延びる部分をも挿通すことができ、収容体２の脱落をより確実に防止できる。
【００６２】
但し、前記閉ループ部を形成するものについては、ベルト２６、２７に限定されない。例えば、樹脂製または金属製等の素材により円弧状またはコ字状に成形された部材を収容体２の外周面に取着し、閉ループ部とするものであってもよい。
【００６３】
因みに、上述したような、収容体を自動車の座席に載置して目的地まで移動する場合であって、且つ目的地では図１に示すカート１を使用して散歩を楽しむ場合においては、図５に示すようにカート１本体が折りたためるものが特に好適である。
【００６４】
カート１本体の折りたたみの手順としては、図４に示すように、コネクタ部１２の枢軸１２ａを中心にてハンドル部材１１側を図４の時計回りに回動させることにより、凸状部１２ｂを凹状部１２ｃから離反させて互いの嵌合状態を解除する。それと同時に、ハンドル部材１１側が枢軸１３ｆを中心にして図４の時計回りに回動させることにより、ハンドル部材１１側が柱部材１３ｂに対して図４の時計回りに回動する。
【００６５】
この時、図１に示す回動フレーム１４が、その両端の各枢軸１４ａ、１４ｂを中心にして回動し始め、回動フレーム１４の回動により、柱部材１３ａ、１３ｂの互いの距離を縮め、最終的には、ハドル部材１１と柱部材１３ａ、１３ｂとが、図５に示すように、ほぼ同一方向に並んだ状態となる。
【００６６】
この時、図１等に示す収容体２の載置面に敷設された部材が支持シート１５であることが好都合である。それは、図５に示すように、カート１本体を折りたたんだ時、支持シート１５自身の可撓性により自ら折りたたまれるようになっているからである。
【００６７】
これにより、方向Ａの長さを縮めることができるので、自動車により目的地まで移動する際には、後部座席または荷室空間にコンパクトにした状態で載置することができる。
【００６８】
尚、この発明の実施形態においては、方向Ａ、方向Ｂを、いずれも、カート１の前進、後退方向に沿った方向として定義しているが、これに限定されるものではなく、カート１、収容体２の幅方向に沿った方向を各々が延びる方向として定義してもよい。
【００６９】
この発明の構成と、上述の実施形態との対応において、
この発明の接合部材は、コネクタ部１２に対応し、
以下同様に、
形状保持部材は、形状保持板３４に対応し、
長尺体は、帯４１に対応し、
コネクタ部材は、連結先端部４２ａに対応するも、
この発明は、上述の実施形態の構成のみに限定されるものではなく、多くの実施の形態を得ることができる。
【図面の簡単な説明】
【００７０】
【図１】収容体を載置した状態のペット用カートを示す斜視図。
【図２】ペット用カート本体の枠体側コネクタと収容体側コネクタとの位置関係を説明する斜視図。
【図３】支持シートの詳細を示す斜視図。
【図４】ペット用カート本体のコネクタ部の詳細を示す要部拡大図。
【図５】ペット用カート本体を折りたたんだ状態を示す側面図。
【図６】カバーリングシートの外観を示す斜視図。
【図７】図６におけるＸ−Ｘ線断面図。
【図８】収容体をペット用バッグとして使用する際の、収容体と帯との接続を説明する正面図。
【図９】収容体側コネクタに連結された帯を、自動車の座席の後部に通した状態を示す側面図。
【図１０】使用時に人間の腰部の周囲に延びるシートベルトを閉ループ部内部に挿通させて、車体側のバックルに嵌め込んだ状態を示す背面図。
【図１１】使用時に人間の腰部の周囲に延びるとともに、胸の周囲にたすきがけ状に延びるシートベルトを閉ループ部内部に挿通させて、車体側のバックルに嵌め込んだ状態を示す背面図。
【符号の説明】
【００７１】
１…ペット用カート
２…収容体
３…床面シート
４…ペット用バッグ
１２…コネクタ部
１３ａ、１３ｂ、１３ｃ、１３ｄ、１３ｅ…柱部材
１５…支持シート
１６…枠体側コネクタ
２５…収容体側コネクタ
２６、２７…ベルト
４１…帯
４２ａ…連結先端部
Ｃ１、Ｃ２…閉ループ部
【図１】
2006254801.tif 000003
【図２】
2006254801.tif 000004
【図３】
2006254801.tif 000005
【図４】
2006254801.tif 000006
【図５】
2006254801.tif 000007
【図６】
2006254801.tif 000008
【図７】
2006254801.tif 000009
【図８】
2006254801.tif 000010
【図９】
2006254801.tif 000011
【図１０】
2006254801.tif 000012
【図１１】
2006254801.tif 000013